(57)【要約】【課題】同じ型のケースを使用し、当該ケース内に収納する部品を兼用することができるガスメータを提供する。【解決手段】内部空間を有するケース１５と、ケース１５の一面に設けられ、流体が流入する流体入口部１１と、ケース１５の一面に設けられ、流体が流出する流体出口部１２と、ケース１５内において、内部に流体入口部１１に流入した流体が流通する計測流路１３１１を有する計測流路部１３１を有し、流体の流量を計測する流量計測部１３と、蛇腹形状１４１を有する管状の弾性体からなり、計測流路部１３１の一方の端部に設けられた出口部１３１ｂと流体出口部１２とを連結する連結部材１４とを備えた。【選択図】図１
2019124654.tif 000002
【特許請求の範囲】
【請求項１】
内部空間を有するケースと、
前記ケースの一面に設けられ、流体が流入する流体入口部と、
前記ケースの前記一面に設けられ、前記流体が流出する流体出口部と、
前記ケース内において、
内部に前記流体入口部に流入した前記流体が流通する計測流路を有する計測流路部を有し、前記流体の流量を計測する流量計測部と、
蛇腹形状を有する管状の弾性体からなり、前記計測流路部の一方の端部に設けられた出口部と前記流体出口部とを連結する連結部材
とを備えたガスメータ。
【請求項２】
前記連結部材はリブ部を有し、当該リブ部が前記計測流路部の出口部と接続される
ことを特徴とする請求項１記載のガスメータ。
【発明の詳細な説明】
【技術分野】
【０００１】
この発明は、ガスの流量を計測するガスメータに関するものである。
【背景技術】
【０００２】
一般的に、ガスメータは、メータ入口部と、流量計測部と、メータ出口部と、連結部材とを備えるように構成されている。メータ入口部からガスメータ内にガスが流入し、当該流入したガスの流量を流量計測部が計測する。流量計測部は、当該流量計測部の出口部が連結部材に挿入されて保持され、連結部材は、当該流量計測部とメータ出口部とを連結し、当該流量計測部で流量を計測したガスが、メータ出口部から流出する（特許文献１参照）。
【先行技術文献】
【特許文献】
【０００３】
【特許文献１】特開２０１７−１５６１００号公報
【発明の概要】
【発明が解決しようとする課題】
【０００４】
特許文献１に開示されているような従来のガスメータにおいて、メータ入口部と、流量計測部と、メータ出口部とは、例えば、金属をプレス加工して形成したケースに収納される。
一方、メータ入口部の中心とメータ出口部の中心との中心距離は、都市ガスメータでは１３０ｍｍのみに設定されるが、ＬＰガスメータでは９０ｍｍと１３０ｍｍの２つの仕様が存在する。
従来、上述したようなケースは、メータ入口部の中心とメータ出口部の中心との中心距離にあわせて、複数種類の異なる型のケースを製造するようにし、ケース内に収納される内部部品も、ケースの型にあわせて選択されていた。すなわち、上述のＬＰガスメータのようなガスメータの場合、仕様に応じて、複数種類の異なる型のケースを製造し、内部部品もケースの型にあわせて選択される。
しかし、複数種類の異なる型のケースを製造するには、製造コストがかかるという課題があった。また、異なる型のケースが用いられることに伴い、ケース内に収納される流量計測部等の内部部品の形状または配置等も、ケースの型に応じて再検討しなければならないという課題があった。
【０００５】
この発明は、上記のような課題を解決するためになされたもので、流体が流入する入口の口金と流体が流出する出口の口金の中心距離が異なる場合であっても、同じ型のケースを使用し、当該ケース内に収納する部品を兼用することができるガスメータを提供することを目的とする。
【課題を解決するための手段】
【０００６】
この発明に係るガスメータは、内部空間を有するケースと、ケースの一面に設けられ、流体が流入する流体入口部と、ケースの前記一面に設けられ、流体が流出する流体出口部と、ケース内において、内部に流体入口部に流入した流体が流通する計測流路を有する計測流路部を有し、流体の流量を計測する流量計測部と、蛇腹形状を有する管状の弾性体からなり、計測流路部の一方の端部に設けられた出口部と流体出口部とを連結する連結部材とを備えたものである。
【発明の効果】
【０００７】
この発明によれば、流体が流入する入口の口金と流体が流出する出口の口金の中心距離が異なる場合であっても、同じ型のケースを使用し、当該ケース内に収納する部品を兼用することができる。
【図面の簡単な説明】
【０００８】
【図１】実施の形態１に係るガスメータの一例を示す概略図である。
【図２】実施の形態１において、流体入口部の中心と、流体出口部の中心との中心距離が９０ｍｍであるガスメータの一例を示す概略図である。
【発明を実施するための形態】
【０００９】
以下、この発明の実施の形態について図面を参照しながら詳細に説明する。
実施の形態１．
図１は、実施の形態１に係るガスメータ１の一例を示す概略図である。図１Ａは、ガスメータ１の外観図であり、図１Ｂは、ガスメータ１の上面図であり、図１Ｃは、図１ＢのＢ−Ｂ断面図であり、図１Ｄは、図１ＡのＡ−Ａ断面図である。なお、図１Ａでは、ガスメータ１のケース１５内に設けられる流量計測部１３等の各部についても図示するようにしている。
図１では、流体の出入口（流体入口部１１および流体出口部１２）の中心距離が１３０ｍｍであるガスメータ１を示している。
ガスメータ１は、流体入口部１１と、流体出口部１２と、流量計測部１３と、連結部材１４と、ケース１５と、遮断弁１６とを備える。
実施の形態１に係るガスメータ１は、流体であるガスを配送する配管（図示省略）の途中において、流体入口部１１が入口側配管（図示省略）、流体出口部１２が出口側配管（図示省略）に接続され、配管を流れるガスの流量を計測するように設置される。
なお、実施の形態１において、流体とは、例えば、ガスとする。
【００１０】
流体入口部１１は、ケース１５の一面に設けられ、当該流体入口部１１からケース１５内にガスが流入する。流体入口部１１は、口金からなる。
流体入口部１１から流入したガスは、遮断弁１６を介して四方に拡散され、流量計測部１３（後述する）に流入する。遮断弁１６は、ケース１５内において、流体入口部１１から流入したガスの流路に取り付けられる。
【００１１】
流体出口部１２は、ケース１５の、流体入口部１１が設けられる面と同一面に設けられ、流体入口部１１からケース１５内に流入し、流量計測部１３によって流量が計測された後のガスを配管へ流出する。流体出口部１２は、口金からなる。
【００１２】
流量計測部１３は、流体入口部１１からケース１５内に流入したガスの流量を計測する。流量計測部１３は、計測流路部１３１と、演算部１３２とで構成される。
計測流路部１３１は、内部に、計測対象のガスが流通する計測流路１３１１を有する。
計測流路部１３１の、一方の端部に入口部１３１ａを有し、他方の端部に出口部１３１ｂを有する。
流体入口部１１から流入したガスは、入口部１３１ａから計測流路部１３１内へ流入する。計測流路部１３１内へ流入したガスは、当該計測流路部１３１内の計測流路１３１１を流通し、計測流路部１３１の出口部１３１ｂから、当該計測流路部１３１と連結されている連結部材１４（後述する）に流出する。
演算部１３２は、流量を計測する、センサー等の演算回路を有する。演算部１３２は、例えば、既知の、超音波を用いた方法で、ガスの流量を計測する。なお、これは一例に過ぎず、演算部１３２は、その他の流量計測原理を用いてガスの流量を計測するようにしてもよい。
【００１３】
連結部材１４は、蛇腹形状１４１を有する管状の弾性体からなる。実施の形態１では、連結部材１４は、例えば、ゴムからなるものとする。
連結部材１４は、一方の端部に接続部１４ａ、他方の端部に接続部１４ｂを有しており、計測流路部１３１の出口部１３１ｂと流体出口部１２とを連結する。
具体的には、接続部１４ａに、計測流路部１３１の出口部１３１ｂが挿入されて、流量計測部１３が連結部材１４に保持され、接続部１４ｂが流体出口部１２に挿入されて、連結部材１４が流体出口部１２に接続される。なお、連結部材１４はゴムからなるため、接続部１４ｂが流体出口部１２に挿入された際にガスの漏洩が起きないように、接続部１４ｂの端部に凸部が成形されており、当該凸部が、流体出口部１２に成形された凹部と嵌合されるようにしている。
連結部材１４の接続部１４ａは、リブ部１４２を有し、当該リブ部１４２が出口部１３１ｂに引っかけられて接続され、当該リブ部１４２によって、計測流路部１３１が容易に抜けないようになっている。また、接続部１４ａは、計測流路部１３１に設けられた出口部１３１ｂの溝に設置したＯリング１７で気密に接続される。
このように、計測流路部１３１内を経由しないガスが連結部材１４内に流入しないようになっている。
流量計測部１３の計測流路部１３１から流出したガスは、連結部材１４の内部の流路を経由して流体出口部１２に流出し、流体出口部１２から配管に流出する。
【００１４】
また、連結部材１４は、固定部１４ｃ、１４ｄを有する。固定部１４ｃは、例えば、溝を有し、当該溝がケース１５に設けられた板（図示省略）に嵌め込まれる。固定部１４ｄは、連結部材１４の、ガスメータ１を設置した状態で上下となる位置に設けられた輪（図示省略）に設けられ、連結部材１４が流体出口部１２から抜けないように、ケース１５に設けられているねじ穴（図示省略）と固定される。
このように、固定部１４ｃ、１４ｄによって、連結部材１４がケース１５に固定され、これにより、連結部材１４に保持されている流量計測部１３がケース１５内で固定される。
連結部材１４は、蛇腹形状１４１を有することによって、流体入口部１１の中心と流体出口部１２の中心との中心距離に応じて、流量計測部１３から流出したガスの流路を可変とすることができる。詳細は後述する。
【００１５】
ケース１５は、板金で構成され、内部空間を有する。
ケース１５の一面には、流体入口部１１および流体出口部１２が設けられる。
ケース１５内には、流量計測部１３と連結部材１４が収納される。
【００１６】
上述のように、連結部材１４は蛇腹形状１４１を有するゴムからなる。
これにより、ケース１５に設けられる流体入口部１１および流体出口部１２の中心距離が変わっても、ケース１５自体は同じ型とし、ケース１５内に設けられる、流量計測部１３および連結部材１４等の内部部品も兼用するようにすることができる。
以下、詳細に説明する。
【００１７】
図１は、上述のとおり、一例として、流体入口部１１の中心と流体出口部１２の中心との中心距離が１３０ｍｍであるガスメータ１を示している。
ここで、図１とは別に、配管の使用最大流量にあわせ、流体入口部１１の中心と、流体出口部１２の中心との中心距離が９０ｍｍに設定されたガスメータ１ａが必要になったとする。
図２は、実施の形態１において、流体入口部１１の中心と、流体出口部１２の中心との中心距離が９０ｍｍであるガスメータ１ａの一例を示す概略図である。図２Ａは、ガスメータ１ａの外観図であり、図２Ｂは、ガスメータ１ａの上面図であり、図２Ｃは、図２ＢのＣ−Ｃ断面図である。なお、図２Ａでは、ガスメータ１ａのケース１５内に設けられる流量計測部１３等の各部についても図示するようにしている。
図２に示すガスメータ１ａの各構成部は、図１に示すガスメータ１の各構成部と同様である。すなわち、ガスメータ１ａと、ガスメータ１とは、備える各部品を兼用している。
なお、図２に示すガスメータ１ａと、図１に示すガスメータ１とは、ケース１５において、流体入口部１１と流体出口部１２が設けられる位置が異なるが、ケース１５は板金からなるため、流体入口部１１および流体出口部１２の位置は比較的自由に変更して作成することができる。
【００１８】
連結部材１４が蛇腹形状１４１を有することで、図２に示すように、連結部材１４を曲げることができる。
その結果、図２に示すガスメータ１ａは、図１に示すガスメータ１とは流体入口部１１の中心と流体出口部１２の中心との中心距離が異なっても、ケース１５を同じ型とし、ケース１５内に収納される流量計測部１３等は、共通のものを使用することができる。
【００１９】
このように、実施の形態１のガスメータ１，１ａは、流体入口部１１の中心と、流体出口部１２の中心の中心距離に応じた型のケース１５をそれぞれ用意する必要がなく、流体入口部１１の中心と流体出口部１２の中心との中心距離によらず、同じ型のケース１５を使用することができる。
また、流体入口部１１の中心と流体出口部１２の中心との中心距離が異なっても、連結部材１４が有する蛇腹形状１４１によって当該連結部材１４を変形させるだけでよいため、流量計測部１３等、ケース１５に収納されている各構成部の入れ換えを検討する必要がない。
【００２０】
以上のように、実施の形態１によれば、ガスメータ１を、内部空間を有するケース１５と、ケース１５の一面に設けられ、流体が流入する流体入口部１１と、ケース１５の一面に設けられ、流体が流出する流体出口部１２と、ケース１５内において、内部に流体入口部１１に流入した流体が流通する計測流路１３１１を有する計測流路部１３１を有し、流体の流量を計測する流量計測部１３と、蛇腹形状１４１を有する管状の弾性体からなり、計測流路部１３１の一方の端部に設けられた出口部１３１ｂと流体出口部１２とを連結する連結部材１４とを備えるように構成した。そのため、流体が流入する入口の口金と流体が流出する出口の口金の中心距離が異なる場合であっても、同じ型のケースを使用し、当該ケース内に収納する部品を兼用することができる。
【００２１】
なお、本願発明はその発明の範囲内において、実施の形態の任意の構成要素の変形、もしくは実施の形態の任意の構成要素の省略が可能である。
【符号の説明】
【００２２】
１，１ａ  ガスメータ
１１  流体入口部
１２  流体出口部
１３  流量計測部
１４  連結部材
１４ａ，１４ｂ  接続部
１４ｃ，１４ｄ  固定部
１５  ケース
１６  遮断弁
１７  Ｏリング
１３１  計測流路部
１３１ａ  入口部
１３２ｂ  出口部
１３２  演算部
１４１  蛇腹形状
１４２  リブ部
１３１１  計測流路
【図１】
2019124654.tif 000003
【図２】
2019124654.tif 000004